(57)【要約】【課題】  分解せずにＩＣを再利用できる上に、意匠性が高いＩＣタグユニットを提供する。【解決手段】  本発明のＩＣタグユニット１は、目視により判読可能な個別情報１１が表示されているタグ１０と、ＩＣインレットを備え、かつ、目視により判読可能な個別情報が表示されていない情報記録体２０ａとが分離可能に一体化されている。本発明のＩＣタグユニット１においては、情報記録体２０ａが、タグ１０を保持する保持部２３を有することが好ましい。【選択図】      図１
2007004443.tif 000002
【特許請求の範囲】
【請求項１】
目視により判読可能な個別情報が表示されているタグと、
ＩＣインレットを備え、かつ、目視により判読可能な個別情報が表示されていない情報記録体とが分離可能に一体化されていることを特徴とするＩＣタグユニット。
【請求項２】
情報記録体が、タグを保持する保持部を有する請求項１に記載のＩＣタグユニット。
【発明の詳細な説明】
【技術分野】
【０００１】
本発明は、販売時に商品に取り付けられ、商品の個別情報を電子的に記録するＩＣを具備するＩＣタグユニットに関する。
【背景技術】
【０００２】
衣料、靴、雑貨などの商品を販売する際にはタグが取り付けられて、商品情報である値段、サイズ、原材料、生産地、商品番号などが目視により判読可能に表示されている。また、商品管理を効率化するために、値段や商品番号など個別情報の一部が記録されたバーコードをタグに表示することもある。
さらに、近年では、バーコードが表示されたタグの代わりに、非接触による電子情報の書き込み・読み出しが可能であるＩＣタグが使用されつつある。ここで、ＩＣタグとしては、商品情報が目視により判読可能に印刷されて表示されたタグ本体と、タグ本体に内蔵され、値段や商品番号などの情報が記録されたＩＣインレットとを備えたものが知られている（例えば、特許文献１参照。）。また、リライトタイプの印刷方式が適用され、目視により判読可能な個別情報が書き換え可能になっているＩＣタグが提案されている（例えば、特許文献２参照。）
【特許文献１】特開２００３−８４６６９号公報
【特許文献２】特開２００４−１０７０７６号公報
【発明の開示】
【発明が解決しようとする課題】
【０００３】
しかしながら、特許文献１に記載のＩＣタグでは、タグ本体の表面に、目視により判読可能な個別情報を含む商品情報を印刷して表示してしまうため、そのまま他の商品用に再利用することができなかった。しかも、タグ本体の内部にＩＣが埋め込まれているため、ＩＣを再利用するためには、ＩＣタグを分解して回収しなければならなかった。したがって、ＩＣを再利用するためには、多くの作業を必要とした。
また、タグにおいては、意匠性が低いと商品の見栄えを悪くし、商品イメージを損なうことがあるため、特に、服や靴など見栄えが重視される商品に取り付けられるタグには、意匠性が高いことが求められる。しかしながら、特許文献２に記載のＩＣタグのように、リライトタイプの印刷方式が適用されている場合には、他の商品への再利用は可能であるものの、白地に青もしくは黒の単色でしか印字できず、印刷に制限が多いため、タグの意匠性を高くすることが困難であった。
本発明は、前記事情を鑑みてなされたものであり、分解せずにＩＣを再利用できる上に、意匠性が高いＩＣタグユニットを提供することを目的とする。
【課題を解決するための手段】
【０００４】
本発明のＩＣタグユニットは、目視により判読可能な個別情報が表示されているタグと、ＩＣインレットを備え、かつ、目視により判読可能な個別情報が表示されていない情報記録体とが分離可能に一体化されていることを特徴とする。
本発明のＩＣタグユニットにおいては、情報記録体が、タグを保持する保持部を有することが好ましい。
【発明の効果】
【０００５】
本発明のＩＣタグユニットは、分解せずにＩＣを再利用できる上に、意匠性が高い。
【発明を実施するための最良の形態】
【０００６】
（第１の実施形態）
本発明のＩＣタグユニットの第１の実施形態について説明する。
図１および図２に、本実施形態のＩＣタグユニットを示す。本実施形態のＩＣタグユニット１は、目視により判読可能な個別情報１１が表示されているタグ１０と、タグ１０を保持し、目視により判読可能な個別情報が表示されていない情報記録体２０ａとが分離可能に一体化されているものである。ここで、分離可能とは、少なくとも情報記録体２０ａが再利用できるようにほぼ一体化前と同じ状態で分離できることをいう。
【０００７】
本実施形態のタグ１０は、商品に取り付け可能になっている矩形状のカードであり、表面に、商品の個別情報１１である商品番号、サイズ、原材料、値段が表示されている。
タグ１０の材質としては、容易に印刷できるものが好ましく、具体的には、紙類、フィルム類が好ましい。紙類としては、キャストコート紙、アート紙、コート紙、上質紙等の紙類、ポリエチレンテレフタレート等のポリエステル、ポリ塩化ビニル等の各種高分子フィルム、蒸着紙、合成紙、布、不織布、金属ホイル等から、ＩＣタグユニットの通信性能を損なわない範囲で適宜選択される。さらに、これらの積層体を使用することもできる。これらの中でも、印刷性に優れ、意匠性をより高くできることから、紙類、合成紙が好ましい。
本実施形態におけるタグ１０の一端側には第１の孔１２および第２の孔１３が形成されており、第１の孔１２には、タグ１０を商品に取り付けるための紐１２ａが通されている。また、紐１２ａは環状になっている。
なお、タグ１０には、個別情報以外の商品情報が表示されていても構わない。
【０００８】
本実施形態における情報記録体２０ａは、タグ１０より僅かに寸法が大きい矩形状のシートからなる情報記録体本体２１と、情報記録体本体２１の裏面に備え付けられたＩＣインレット２２（図２参照）と、情報記録体本体２１の一端側の表面に設けられた、タグ１０を保持する保持部２３とを有するものである。
【０００９】
情報記録体本体２１の材質としては、例えば、ポリエチレン、ポリプロピレン、エチレン−αオレフィン共重合体、エチレン−酢酸ビニル共重合体、ポリ塩化ビニル、ポリ塩化ビニリデン、ポリスチレン、ＡＢＳ樹脂、ポリエチレンテレフタレート、ポリブチレンテレフタレート、ポリカーボネート、ポリアミドなどが挙げられる。
情報記録体本体２１には、タグ１０との一体化の際に利用される一体化用貫通孔２１ａが形成されている。
情報記録体本体２１の形状はタグ１０の形状に応じて適宜選択すればよいが、その厚みは１００μｍ〜５ｍｍであることが好ましい。
【００１０】
ＩＣインレット２２とは、図２に示すように、ＩＣ２２ａとＩＣ２２ａに接続されたアンテナ２２ｂとを備えたものである。
ＩＣ２２ａとしては、例えば、キャリア周波数１３．５６ＭＨｚ、２．４５ＧＨｚ、ＵＨＦ帯に対応可能であり、縦横の長さが０．３〜５ｍｍで、厚さが３０〜２００μｍ程度のものが挙げられる。
アンテナ２２ｂとしては、金属箔あるいは感度が高くなるように、エッチング方式、巻線方式、印刷方式等でパターニングされた金属線などが挙げられる。
【００１１】
本実施形態における保持部２３は、情報記録体本体２１の一端側の表面に保持部用シート２３ａを被覆し、情報記録体本体２１の周縁とその周縁に重なる保持部用シート２３ａの周縁とを貼着することにより形成されたポケットである。
保持部用シート２３ａの材質は、情報記録体本体２１の材質と同じであっても、異なってもよいが、同じであることが好ましい。また、保持部用シート２３ａの厚みは、情報記録体本体２１と同様に、８μｍ〜５ｍｍであることが好ましい。
【００１２】
情報記録体２０ａには、これを再利用する範囲で共通する情報（例えば、会社名、ブランド名、商品ロゴ等）や模様などを目視可能に表示しても構わない。
【００１３】
このＩＣタグユニット１において、タグ１０と情報記録体２０ａとは結合ピン３０により一体化されている。
本実施形態における結合ピン３０は、図３に示すように、タグ１０における第２の孔１３の直径および情報記録体２０ａにおける一体化用貫通孔２１ａの直径より長い棒状の２つの係止部３１ａ，３１ｂと、これら係止部３１ａ，３１ｂ同士を連結する連結部３２とを有し、全体がＨ字状になっている合成樹脂製のＨ型結合ピンである。Ｈ型結合ピンとしては、例えば、日本バノック社製バノックピンなどが挙げられる。
【００１４】
結合ピン３０を用いてタグ１０と情報記録体２０ａとを一体化するためには、図４に示すように、まず、タグ１０の第１の孔１２および第２の孔１３が形成されていない側の端部を保持部２３に挿入し、情報記録体２０ａの一体化用貫通孔２１ａにタグ１０の第２の孔１３が連通するようにタグ１０を配置する。次いで、図３に示すように、タグ１０における第２の孔１３と情報記録体２０ａにおける一体化用貫通孔２１ａとに、結合ピン３０の一方の係止部３１ａおよび連結部３２を差し込む。これにより、タグ１０の第２の孔１３と情報記録体２０ａの一体化用貫通孔２１ａとに結合ピン３０の連結部３２を配置し、タグ１０の表面側に一方の係止部３１ａを配置し、情報記録体２０ａの裏面側に結合ピン３０の他方の係止部３１ｂを配置して、タグ１０と情報記録体２０ａとを連結し、一体化する。
このような結合ピン３０で一体化されたタグ１０と情報記録体２０ａとを分離させる際には、タグ１０の第２の孔１３と情報記録体２０ａの一体化用貫通孔２１ａとに通された連結部３２を切断すればよい。
【００１５】
本実施形態のように、タグ１０の個別情報１１の表示と情報記録体２０ａとが重なる場合には、情報記録体２０ａにおけるタグ１０の個別情報１１の表示と重なる部分（本実施形態では保持部２３）が透明になっていることが好ましい。ここで、透明とは、タグ１０の個別情報１１の表示が判読できる程度に透けていることを意味する。
【００１６】
以上説明したＩＣタグユニット１では、商品の個別情報１１を目視により判読可能に表示されたタグ１０とＩＣインレット２２を備えた情報記録体２０ａとが分離可能に一体化されている上に、情報記録体２０ａには商品の個別情報が目視により判読可能に表示されていない。そのため、結合ピン３０の連結部３２を切断し、タグ１０と情報記録体２０ａとの一体化状態を解いて、情報記録体２０ａをタグ１０から分離し、さらに個別情報を電子的に書き換えることにより、他の商品にそのまま再利用できる。すなわち、分解しないでＩＣ２２ａを再利用できる。
また、既存のタグ１０をそのまま使用できるため、印刷に制限が少なく、タグ１０の意匠性を損なうことがないから、商品の見栄えを悪くしにくい。
さらに、ＩＣタグユニット１では、情報記録体２０ａの保持部２３にタグ１０の一端を挿入してタグ１０を情報記録体２０ａに保持し、結合ピン３０により一体化しているため、タグ１０を商品に取り付けるだけで、情報記録体２０ａも商品に取り付けることができる。
【００１７】
なお、上述した実施形態では、タグ１０と情報記録体２０ａとを一体化するために結合ピン３０を用いたが、他の一体化方法を採っても構わない。例えば、図５に示すように、タグ１０の第２の孔１３（または第１の孔１２）と情報記録体本体２１の一体化用貫通孔２１ａとに同じ紐１２ｂを通し、その紐１２ｂの末端同士を結ぶ方法を採ってもよい。この場合、タグ１０と情報記録体２０ａとを分離する際には、紐１２ｂを切断すればよい。
また、図６に示すように、情報記録体本体２１の一体化用貫通孔２１ａをタグ１０の第１の孔１２に連通できるように形成した上で、商品に取り付けるための紐１２ａを、タグ１０の第１の孔１２とともに情報記録体本体２１の一体化用貫通孔２１ａとに通して、タグ１０と情報記録体２０ａとを一体化してもよい。ただし、この場合には、商品を客に引き渡す際に、紐１２ａを切断して、情報記録体２０ａだけでなく、タグ１０も商品から取り外すことになる。これを回避するためには、紐１２ａをタグ１０の第１の孔１２に通すとともに、タグ１０の第１の孔１２と情報記録体本体２１の一体化用貫通孔２１ａとに結合ピン３０を通して、タグ１０と情報記録体２０ａを一体化すればよい。
【００１８】
また、情報記録体の保持部が第１の実施形態と異なっていてもよい。例えば、図７に示すように、情報記録体２０ｂが、一体化用貫通孔２１ａが形成された情報記録体本体２１と、情報記録体本体２１の四隅に設けられ、タグ１０の隅部を挟む保持部２５，２５・・・とを有するものであってもよい。この情報記録体２０ｂにおいても、図２に示すように、情報記録体本体２１の裏面にＩＣインレット２２が備え付けられている。この情報記録体２０ｂでは、タグ１０を保持した際にタグ１０の第２の孔１３に一体化用貫通孔２１ａが重なるように形成されている。そして、タグ１０と情報記録体２０ｂとを一体化するためには、まず、タグ１０の四隅をそれぞれ情報記録体本体２１と保持部２５の隙間に差し込んだ後、タグ１０の第２の孔１３と情報記録体２０ｂの一体化用貫通孔２１ａとに結合ピン３０を差し込めばよい。タグ１０と情報記録体２０ｂとを分離する際には、上記実施形態と同様に、結合ピン３０の連結部を切断すればよい。
【００１９】
また、上述した実施形態では、ＩＣインレット２２が情報記録体本体２１の裏面に備え付けられていたが、本発明はこれに限定されず、例えば、情報記録体本体２１の表面であって、タグ１０を一体化した際に見えなくなる部分に備え付けられていてもよいし、情報記録体本体２１の表面であって、タグ１０と重ならない部分（例えば、タグ１０の周囲）に備え付けられていてもよいし、ＩＣインレット２２が情報記録体本体２１の内部に埋め込まれていてもよい。
【００２０】
さらには、上述した第１の実施形態では、タグ１０が矩形状であったが、丸や三角などその他の形状であってもよく、情報記録体２０ａについては、タグ１０に応じた形状であればよい。
【００２１】
（第２の実施形態）
次に、本発明のＩＣタグユニットの第２の実施形態について説明する。
図８に、本実施形態のＩＣタグユニットを示す。本実施形態のＩＣタグユニット２は、タグ１０と、ＩＣインレット（図示せず）が情報記録体本体２６内に埋め込まれ、目視により判読可能な個別情報が表示されていないボタン状の情報記録体２０ｃとが分離可能に一体化されたものである。なお、本実施形態において、第１の実施形態と同じ構成のものは図１と同じ符号を付して説明を省略する。
【００２２】
ボタン状の情報記録体２０ｃにおける「ボタン状」とは、洋服のボタンと同様の形状を有していることを意味する。すなわち、情報記録体２０ｃは円形状であり、一方の面から他方の面まで貫通する一体化用貫通孔２１ｂが形成されている。
また、情報記録体２０ｃの情報記録体本体２６の材質としては、第１の実施形態における情報記録体本体２１の材質と同様である。
情報記録体本体２６の直径はタグ１０の形状に応じて適宜選択すればよいが、５〜５０ｍｍであることが好ましく、厚さは０．１〜１０ｍｍであることが好ましい。
【００２３】
本実施形態においても、タグ１０と情報記録体２０ｃとは結合ピン３０により一体化されている。具体的には、図９に示すように、タグ１０の第１の孔１２と情報記録体２０ｃの一体化用貫通孔２１ｂとに結合ピン３０の連結部３２が配置され、情報記録体２０ｃの表面側に結合ピン３０の一方の係止部３１ａが配置され、タグ１０の裏面側に他方の係止部３１ｂが配置されて、タグ１０と情報記録体２０ｃとが一体化されている。
タグと情報記録体２０ｃとを分離する際には、タグ１０の第１の孔１２と情報記録体２０ｃの一体化用貫通孔２１ｂとに通された結合ピン３０の連結部３２を切断すればよい。
本実施形態においても第１の実施形態と同様に、タグ１０と情報記録体２０ｃとを分離することにより、情報記録体２０ｃをそのまま回収でき、個別情報を電子的に書き換えることにより、他の商品に再利用することができる。
【００２４】
なお、上述した第２の実施形態では、タグ１０が矩形状であったが、丸や三角などその他の形状であってもよい。また、情報記録体２０ｃについても、円形でなくてもよく、例えば、三角形や四角形などの多角形、ハート形、星形などの形状や、社章などであってもよい。
【図面の簡単な説明】
【００２５】
【図１】本発明に係る第１の実施形態のＩＣタグユニットにおける一方の面の平面図である。
【図２】本発明に係る第１の実施形態のＩＣタグユニットにおける他方の面の平面図である。
【図３】本発明に係る第１の実施形態のＩＣタグユニットの断面における要部拡大図である。
【図４】第１の実施形態のＩＣタグユニットにおけるタグと情報記録体との一体化方法を説明する図である。
【図５】本発明に係る第１の実施形態のＩＣタグユニットの変形例を示す平面図である。
【図６】本発明に係る第１の実施形態のＩＣタグユニットの変形例を示す平面図である。
【図７】本発明に係る第１の実施形態のＩＣタグユニットの変形例を示す平面図である。
【図８】本発明に係る第２の実施形態のＩＣタグユニットにおける一方の面の平面図である。
【図９】本発明に係る第２の実施形態のＩＣタグユニットの断面における要部拡大図である。
【符号の説明】
【００２６】
１，２  ＩＣタグユニット、１０  タグ、１１  個別情報、２０ａ，２０ｂ，２０ｃ  情報記録体、２３，２５  保持部
【図１】
2007004443.tif 000003
【図２】
2007004443.tif 000004
【図３】
2007004443.tif 000005
【図４】
2007004443.tif 000006
【図５】
2007004443.tif 000007
【図６】
2007004443.tif 000008
【図７】
2007004443.tif 000009
【図８】
2007004443.tif 000010
【図９】
2007004443.tif 000011